(57)【要約】【課題】トリップロック端子の導電部を被覆することで不慮の事故を防止することを目的とする。【解決手段】本発明は、保護継電装置の盤面から延出する基端側絶縁部と、該基端側絶縁部から延出する軸状の導電部と、該導電部の先端に固定された先端側絶縁部と、導電部に対して軸心方向に移動可能に設けられた固定部材とを備え、固定部材と基端側絶縁部とで短絡片を固定可能に構成されたトリップロック端子であって、固定部材と基端側絶縁部との間の導電部を被覆し、且つ導電部の軸心方向に移動可能に設けられた第一のカバーと、基端側絶縁部に内装され、且つ第一のカバーを固定部材に押し付ける第一の付勢部材と、固定部材と先端側絶縁部との間の導電部を被覆し、且つ導電部の軸心方向に移動可能に設けられた第二のカバーと、先端側絶縁部に内装され、且つ第二のカバーを固定部材に押し付ける第二の付勢部材とを備えるトリップロック端子である。【選択図】図１
2016152207.tif 000002
【特許請求の範囲】
【請求項１】
保護継電装置の盤面から延出する基端側絶縁部と、
該基端側絶縁部から延出する軸状の導電部と、
該導電部の先端に固定された先端側絶縁部と、
前記導電部に対して軸心方向に移動可能に設けられた固定部材とを備え、
前記固定部材と前記基端側絶縁部とで短絡片を固定可能に構成されたトリップロック端子であって、
前記固定部材と前記基端側絶縁部との間の導電部を被覆し、且つ前記導電部の軸心方向に移動可能に設けられた第一のカバーと、
前記基端側絶縁部に内装され、且つ前記第一のカバーを前記固定部材に押し付ける第一の付勢部材と、
前記固定部材と前記先端側絶縁部との間の導電部を被覆し、且つ前記導電部の軸心方向に移動可能に設けられた第二のカバーと、
前記先端側絶縁部に内装され、且つ前記第二のカバーを前記固定部材に押し付ける第二の付勢部材とを備える
ことを特徴とするトリップロック端子。
【請求項２】
前記先端側絶縁部は、外面に開口して前記導電部まで延びる直線状の孔部を有するとともに、該孔部の開口を閉塞する閉塞部を有する
請求項１に記載のトリップロック端子。
【請求項３】
前記第一のカバーは、前記固定部材側の端部の外径を前記固定部材に向けて縮径して形成される
請求項１又は２に記載のトリップロック端子。
【発明の詳細な説明】
【技術分野】
【０００１】
本発明は、接続回路を検査するためのトリップロック端子に関する。
【背景技術】
【０００２】
電力系統に設けられた保護継電装置等には、接続回路を用いて遮断器が接続されている。保護継電装置により過電流や過電圧等の異常が検出された場合には、保護継電装置内の検出信号発生回路から検出信号が遮断器に出力され、遮断器が駆動することで電力系統が遮断される。
【０００３】
接続回路上には、該接続回路を検査するためのトリップロック端子が設けられている（例えば、特許文献１参照）。該トリップロック端子は一対に設けられ、一方のトリップロック端子は、検出信号発生回路に接続され、他方のトリップロック端子は、遮断器に接続されている。そして、一対のトリップロック端子は、保護継電装置の盤面から延出して導電部を露出するように配置されている。このような一対のトリップロック端子のそれぞれが通常時において、短絡片により導電部が電気的に接続されることで、検出信号発生回路及び遮断器は、電気的に接続されている。回路試験等の定期点検時には、短絡片が一対のトリップロック端子のそれぞれから取り外されることで、一対のトリップロック端子のそれぞれは、電気的に切り離される。
【０００４】
上記のように露出した導電部に接触することによる感電や、何らかの異常電圧が加わることによるミストリップ（停電事故）を防止すべく、一対のトリップロック端子は、通常時において、樹脂製のカバーで被覆（保護）される。このような樹脂製のカバーは、トリップロック端子を被覆した状態から取り外し可能になっている。
【０００５】
そのため、樹脂製のカバーは、外部からの誤接触等により、一対のトリップロック端子を被覆している状態から脱落してしまうことがあった。樹脂製のカバーが脱落すると、上記のように一対のトリップロック端子の導電部が露出してしまうので、導電部に接触することによる感電や、ミストリップ等の不慮の事故が発生する虞があった。
【先行技術文献】
【特許文献】
【０００６】
【特許文献１】特開２０１０−１４８３３７号公報
【発明の概要】
【発明が解決しようとする課題】
【０００７】
そこで、本発明は、トリップロック端子の導電部を被覆して不慮の事故を防止できるトリップロック端子を提供することを目的とする。
【課題を解決するための手段】
【０００８】
本発明は、保護継電装置の盤面から延出する基端側絶縁部と、該基端側絶縁部から延出する軸状の導電部と、該導電部の先端に固定された先端側絶縁部と、前記導電部に対して軸心方向に移動可能に設けられた固定部材とを備え、前記固定部材と前記基端側絶縁部とで短絡片を固定可能に構成されたトリップロック端子であって、前記固定部材と前記基端側絶縁部との間の導電部を被覆し、且つ前記導電部の軸心方向に移動可能に設けられた第一のカバーと、前記基端側絶縁部に内装され、且つ前記第一のカバーを前記固定部材に押し付ける第一の付勢部材と、前記固定部材と前記先端側絶縁部との間の導電部を被覆し、且つ前記導電部の軸心方向に移動可能に設けられた第二のカバーと、前記先端側絶縁部に内装され、且つ前記第二のカバーを前記固定部材に押し付ける第二の付勢部材とを備えるトリップロック端子である。
【０００９】
このような構成において、トリップロック端子は、一対で保護継電装置の盤面から延出して設けられる。そして、短絡片が一対のトリップロック端子のそれぞれの固定部材と基端側絶縁部との間で固定されることで、一対のトリップロック端子の導電部が短絡片を介して電気的に接続される。
【００１０】
トリップロック端子の固定部材が導電部の軸心方向に沿って、基端側絶縁部に向けて移動することで、第二のカバーは、第二の付勢部材による付勢力に抗して先端側絶縁部に向けて移動する。短絡片は、固定部材の移動により固定部材と基端側絶縁部との間の固定から解除され、トリップロック端子から取り外し可能な状態になる。一対のトリップロック端子のそれぞれの固定部材が移動することで、短絡片は、一対のトリップロック端子から完全に取り外し可能な状態になる。
【００１１】
短絡片が取り外されると、第一のカバーは、第一の付勢部材の付勢力により、導電部の軸方向に沿って、基端側絶縁部の内部から固定部材に向けて進出する。これにより、短絡片の取り外しにより露出した導電部の表面は、第一のカバーにより被覆される。第一のカバーにより導電部が被覆されることで、短絡片を取り外したとしても導電部が露出しないので、導電部に接触することによる感電や、ミストリップ等の不慮の事故の発生を防止できる。
【００１２】
また、本発明の一態様として、前記先端側絶縁部は、外面に開口して前記導電部まで延びる直線状の孔部を有するとともに、該孔部の開口を閉塞する閉塞部を有してもよい。
【００１３】
このような構成において、孔部が先端側絶縁部の外面から導電部まで直線状に延びていることから、導電部は、孔部を介して露出する。これにより、孔部の開口から検査機器等の端子が挿入可能であり、端子が導電部に接触することで、トリップロック端子の検査をすることができる。通常時において、閉塞部が孔部の開口を閉塞するので、導電部は、露出しない。これにより、導電部に接触することによる感電や、ミストリップ等の不慮の事故の発生を防止しつつ、トリップロック端子の検査作業の作業性を向上することができる。
【００１４】
また、本発明の他態様として、前記第一のカバーは、前記固定部材側の端部の外径を前記固定部材に向けて縮径して形成されていてもよい。
【００１５】
このような構成において、短絡片が一対のトリップロック端子から取り外されると、第一のカバーのそれぞれは、第一の付勢部材の付勢力により固定部材に向けて移動し、該固定部材に当接する。このような一対のトリップロック端子に短絡片を取り付ける際には、短絡片が、第一のカバーの固定部材側の端部に押し当てられる。第一のカバーの端部の外径は、中央部の外径に対して、固定部材側の短部の外径を固定部材に向けて縮径して形成されているので、短絡片の押し当てにより、第一のカバーは、第一の付勢部材の付勢力に抗する方向（固定部材から離間する方向）に力を受ける。これにより、第一のカバーが第一の付勢部材の付勢力に抗して移動するので、固定部材と基端側絶縁部との間にある導電部の表面が露出する。その後、短絡片は、露出した導電部の表面に当接されることで、固定部材及び基端側絶縁部に固定可能になる。したがって、作業員が第一のカバーを直接把持せずに短絡片を固定可能にすることができ、導電部に接触することによる感電や、ミストリップ等の不慮の事故の発生を防止できる。
【発明の効果】
【００１６】
以上のように、本発明によれば、トリップロック端子の導電部を被覆することで不慮の事故を防止できるトリップロック端子を提供することができる。
【図面の簡単な説明】
【００１７】
【図１】図１は、本発明の一実施形態に係るトリップロック端子を示す概略図である。
【図２】図１に示すトリップロック端子から短絡片が取り外された状態を示す概略図である
【図３】図３は、図２のＡ矢示図であり、図３（ａ）は孔部が閉塞部によって被覆されている状態を示す図であり、図３（ｂ）は孔部の開口が露出している状態を示す図である。
【図４】図４は、本発明の他実施形態に係るトリップロック端子を示す概略図である。
【発明を実施するための形態】
【００１８】
以下、本発明の一実施形態に係るトリップロック端子を図１乃至図４を用いて説明する。
【００１９】
図１に示すように、本実施形態に係るトリップロック端子１は、保護継電装置の盤面２から延出する基端側絶縁部１１と、該基端側絶縁部１１から延出する軸状の導電部１２と、該導電部１２の先端に固定された先端側絶縁部１３と、導電部１２に対して軸心方向に移動可能に設けられた固定部材１４とを備え、固定部材１４と基端側絶縁部１１とで短絡片３を固定可能に構成されたトリップロック端子１であって、固定部材１４と基端側絶縁部１１との間の導電部１２を被覆し、且つ導電部１２の軸心方向に移動可能に設けられた第一のカバー１５と、基端側絶縁部１１に内装され、且つ第一のカバー１５を固定部材１４に押し付ける第一の付勢部材１６と、固定部材１４と先端側絶縁部１３との間の導電部１２を被覆し、且つ導電部１２の軸心方向に移動可能に設けられた第二のカバー１７と、先端側絶縁部１３に内装され、且つ第二のカバー１７を固定部材１４に押し付ける第二の付勢部材１８とを備える。
トリップロック端子１は、保護継電装置の信号発生回路に接続される第一の回路端子２１に取り付けられる一方のトリップロック端子１と、図示しない遮断器に接続される第二の回路端子２２に取り付けられる他方のトリップロック端子１とで一対に配置される。そして、一方のトリップロック端子１は、一対の第一の取付部材２３，２３で第一の回路端子２１に取り付けられ、他方のトリップロック端子１は、一対の第二の取付部材２４，２４で第二の回路端子２２に取り付けられる。そして、一対のトリップロック端子１，１のそれぞれは、短絡片３を用いて短絡されることで、保護継電装置及び図示しない遮断器の間を短絡状態にされる。ここで、短絡片３は、一対のトリップロック端子１，１のそれぞれの基端側絶縁部１１及び固定部材１４の間に固定されることで、それぞれの導電部１２に接触して、一対のトリップロック端子１，１を短絡状態にする。
【００２０】
なお、本実施形態では、一対のトリップロック端子１，１のそれぞれは、同じ構成を有していることから、第一の回路端子２１に取り付けられているトリップロック端子１のみを例として説明する。また、以下の説明では、簡便のために、各構成について、第一の回路端子２１に近い側を基端側といい、逆側を先端側という。そして、検査機器等を用いて検査をする際を検査時といい、検査機器等を用いない状態を通常時という。
【００２１】
基端側絶縁部１１は、絶縁材料で筒状に構成される。そして、基端側絶縁部１１は、内部に導電部１２を挿通した状態で係止可能に構成されている。また、基端側絶縁部１１は、先端側の面から、導電部１２の軸方向を深さ方向とする断面円形状の凹部１１１を有し、第一のカバー１５及び第一の付勢部材１６を挿入可能に構成される。
【００２２】
導電部１２は、棒状に形成され、軸方向（基端側絶縁部１１への挿通方向）で基端側絶縁部１１よりも長く形成されている。このような導電部１２は、軸方向一端側端部（基端側端部）で、第一の取付部材２３により第一の回路端子２１に取り付けられている。そして、導電部１２は、中央部で固定部材１４に挿通された状態で係止され、軸方向他端側端部（先端側端部）で先端側絶縁部１３に係合する。例えば、導電部１２は、雄ネジとして形成され、第一の回路端子２１、第二の回路端子２２、基端側絶縁部１１、固定部材１４、及び先端側絶縁部１３のそれぞれに設けられる雌ネジに螺合される。
【００２３】
先端側絶縁部１３は、絶縁材料で円柱形に構成される。また、先端側絶縁部１３は、固定部材１４に対向する面（基端側の面）から先端側に向けて設けられる雌ネジ１３２で導電部１２の他端側に螺合されることで導電部１２の他端側に固定される。そして、先端側絶縁部１３は、雌ネジ１３２の外周位置に並設される断面円弧形状の溝１３１を有し、第二のカバー１７及び第二の付勢部材１８を挿入可能に構成される。さらに、先端側絶縁部１３は、外面に開口して導電部１２まで延びる直線状の孔部１９を有するとともに、該孔部１９の開口を閉塞する閉塞部２０を有する。また、先端側絶縁部１３は、閉塞部２０を先端側絶縁部１３の外面に枢結する枢結部２５を有する。
【００２４】
孔部１９は、先端側絶縁部１３の外面から雌ネジ１３２まで貫通して設けられる。すなわち、孔部１９は、先端側絶縁部１３の外面から雌ネジ１３２に螺合された導電部１２の先端部の表面位置まで貫通して設けられる。また、孔部１９は、図示しない検査機器の端子を挿入可能な径で設けられる。本実施形態において、孔部１９は、導電部１２の軸心位置に合わせ、導電部１２の軸方向に沿って、先端側絶縁部１３の先端側の面から雌ネジ１３２の位置まで形成されている。これにより、孔部１９は、先端側絶縁部１３の先端側に設けられる開口への図示しない検査機器の端子の挿入と、導電部１２の表面への点検のための接触とを許容する。
【００２５】
閉塞部２０は、絶縁材料で板状に形成され、一方の面を先端側絶縁部１３の固定部材１４に対向する面（先端側の面）に当接して配置される。そして、閉塞部２０は、枢結部２５により先端側絶縁部１３に枢結されるとともに、先端側絶縁部１３の固定部材１４に対向する面とは逆の面（先端側の面）に設けられている孔部１９の開口を閉塞するように配置される。本実施形態において、閉塞部２０は、平面視円形状で板状に形成される。
【００２６】
枢結部２５は、絶縁材料で形成され、先端側絶縁部１３の固定部材１４に対向する面とは逆の面に閉塞部２０を枢結する。例えば、枢結部２５は、先端側絶縁部１３への枢結方向（導電部１２の軸方向）に直交する方向の断面を円形状に形成され、閉塞部２０を貫通可能な長さで形成される。枢結部２５は、孔部１９の開口を閉塞する位置からずれた位置で閉塞部２０の板厚方向を貫通して先端側絶縁部１３に閉塞部２０を枢結することで、自身を回転中心として、閉塞部２０を板面方向に回転自在にすることができる。これにより、枢結部２５は、閉塞部２０の回転により、孔部１９の開口を露出させることができる。そして、枢結部２５は、先端側絶縁部１３の先端側表面において、孔部１９の開口に対して鉛直上側の位置に閉塞部２０を枢結している。これにより、通常時には、閉塞部２０が、孔部１９の開口を閉じるようになっている。
【００２７】
固定部材１４は、絶縁材料で形成される円形ナットであり、導電部１２の径に合わせた内径を有している。そして、固定部材１４は、基端側絶縁部１１及び先端側絶縁部１３の間で導電部１２に螺合されており、基端側絶縁部１１の方向に回転しつつ移動することで、短絡片３を基端側絶縁部１１との間で固定可能になっている。逆に、先端側絶縁部１３の方向に回転しつつ移動することで、短絡片３の固定を解除可能になっている。
【００２８】
第一のカバー１５は、絶縁材料で円筒形に形成される。第一のカバー１５は、軸方向で固定部材１４に対向する基端側絶縁部１１の面（先端側の面）に設けられる凹部１１１の開口から挿入可能な径で構成される。そして、第一のカバー１５は、軸方向で、凹部１１１の深さよりも短い長さで形成されている。また、第一のカバー１５は、軸方向で、先端側絶縁部１３に当接した状態の固定部材１４の基端側の面から基端側絶縁部１１の先端側の面までの長さよりも長く形成されている。本実施形態において、第一のカバー１５は、固定部材１４側の端部の外径を固定部材１４に向けて縮径して形成されている。
【００２９】
第一の付勢部材１６は、圧縮バネ（コイルバネ）であり、軸方向で固定部材１４に対向する基端側絶縁部１１の面に設けられる凹部１１１の開口から挿入可能な径で構成される。そして、第一の付勢部材１６は、圧縮されていない状態において、第一のカバー１５の軸方向長さと合算した長さで基端側絶縁部１１の凹部１１１の深さよりも長い軸方向長さを有している。これにより、第一の付勢部材１６は、圧縮されていない状態で、第一のカバー１５の固定部材１４に対向する端部を基端側絶縁部１１から露出可能に形成されている。より好ましくは、第一の付勢部材１６は、圧縮されていない状態で、第一のカバー１５の軸方向の長さと合わせた長さで、固定部材１４の基端側絶縁部１１に対向する面（基端側の面）から凹部１１１の底までの長さよりも長いのがよい。これにより、固定部材１４が先端側絶縁部１３に当接する位置まで移動したとしても、第一の付勢部材１６は、第一のカバー１５に対して付勢力を作用させて、第一のカバー１５を固定部材１４に確実に当接することができる。したがって、第一の付勢部材１６は、固定部材１４及び基端側絶縁部１１の間の導電部１２の表面を第一のカバー１５に被覆させることができる。
【００３０】
第二のカバー１７は、絶縁材料で円筒形に形成される。第二のカバー１７は、軸方向で固定部材１４に対向する先端側絶縁部１３の面に設けられる溝１３１の開口から挿入可能な径で構成される。そして、第二のカバー１７は、軸方向で、溝１３１の深さよりも短い長さで形成されている。また、第二のカバー１７は、軸方向で、基端側絶縁部１１に当接した状態の固定部材１４の先端側の面から先端側絶縁部１３の基端側の面までの長さよりも長く形成されている。
【００３１】
第二の付勢部材１８は、圧縮バネ（コイルバネ）であり、先端側絶縁部１３の基端側の面から軸方向に向けて設けられる溝１３１の開口から挿入可能な径で構成される。そして、第二の付勢部材１８は、圧縮されていない状態において、第二のカバー１７の軸方向長さと合わせた長さで先端側絶縁部１３の溝１３１の深さよりも長い軸方向長さを有している。これにより、第二の付勢部材１８は、圧縮されていない状態で、第二のカバー１７の基端側端部を先端側絶縁部１３の基端側から露出可能に形成されている。より好ましくは、第二の付勢部材１８は、圧縮されていない状態で、第二のカバー１７の軸方向の長さと合わせた長さで、固定部材１４の先端側の面から溝１３１の底までの長さよりも長く形成される。これにより、固定部材１４が基端側絶縁部１１に当接する位置まで移動したとしても、第二の付勢部材１８は、第二のカバー１７に対して付勢力を作用させて、第二のカバー１７を固定部材１４に確実に当接することができる。したがって、第二の付勢部材１８は、固定部材１４及び先端側絶縁部１３の間の導電部１２の表面を第二のカバー１７に被覆させることができる。
【００３２】
本実施形態に係るトリップロック端子１の構成は以上であり、次に、本実施形態に係るトリップロック端子１の作用を説明する。
【００３３】
まず、図１に示すように、短絡片３がトリップロック端子１に取り付けられている状態では、固定部材１４が、短絡片３を基端側絶縁部１１に対して押し付けることで、基端側絶縁部１１との間で短絡片３を固定している。このとき、第二のカバー１７は、第二の付勢部材１８の付勢力により、固定部材１４の先端側の面に当接することで、固定部材１４と先端側絶縁部１３との間の導電部１２の表面を被覆している。一方、第一のカバー１５は、第一の付勢部材１６の付勢力により、基端側絶縁部１１の先端側の面に当接する短絡片３の基端側の面に当接する。
【００３４】
保護継電装置と図示しない遮断器とを繋ぐ回路の回路試験等のために、短絡片３がトリップロック端子１から取り外される場合、まず、固定部材１４が導電部１２を中心に回転し、先端側絶縁部１３に向けて移動する。すると、第二のカバー１７は、第二の付勢部材１８の付勢力により、固定部材１４に当接したまま、固定部材１４の移動に合わせて先端側に移動する。すなわち、第二のカバー１７は、第二の付勢部材１８の付勢力により、固定部材１４に当接したまま、先端側絶縁部１３に設けられた溝１３１内に向けて移動する。
【００３５】
固定部材１４が先端側に向けて移動することで、固定部材１４は、トリップロック端子１への短絡片３の固定を解除する。そして、短絡片３がトリップロック端子１から取り外されると、第一のカバー１５は、第一の付勢部材１６の付勢力により、固定部材１４の基端側の面に当接するように移動する。これにより、図２に示すように、第二のカバー１７は、先端側絶縁部１３及び固定部材１４の間の導電部１２の表面を被覆し、第一のカバー１５は、基端側絶縁部１１及び固定部材１４の間の導電部１２の表面を被覆する。したがって、導電部１２は、先端側絶縁部１３、第二のカバー１７、固定部材１４、第一のカバー１５、及び基端側絶縁部１１により表面を絶縁材料で完全に被覆された状態になる。導電部１２の表面が絶縁材料で完全に被覆された状態になるので、トリップロック端子１の導電部１２を保護することで不慮の事故を防止することができる。
【００３６】
検査機器等を用いて定期検査等をする場合、閉塞部２０が枢結部２５を回転中心にして回転することで、図２のＡ矢示図である図３（ａ）に示す状態から図３（ｂ）に示す状態になり、孔部１９の開口が露出する。露出した孔部１９の開口に検査機器等の端子が挿入され、導電部１２の表面に接触することで、トリップロック端子１の検査等が実施される。検査終了後、検査機器等の端子が孔部１９から抜かれることで、閉塞部２０は、枢結部２５を回転中心にして回転し元の位置に戻る。これにより、孔部１９の開口は再び閉塞部２０により被覆される。
【００３７】
その後、一対のトリップロック端子１，１を短絡すべく、短絡片３がトリップロック端子１に取り付けられる際には、短絡片３が、第一のカバー１５の先端側端部に押し当てられる。第一のカバー１５の先端側端部は、固定部材１４に向けて縮径しているので、短絡片３の押し当てにより、第一の付勢部材１６の付勢力に抗して基端側に移動する。すると、固定部材１４及び基端側絶縁部１１の間の導電部１２の表面が露出する。最終的に、短絡片３は、導電部１２の露出する表面に接触した状態になる。このとき、第一のカバー１５には、第一の付勢部材１６から先端側に向けて付勢力が作用しているので、第一のカバー１５は、導電部１２に接触した短絡片３の基端側の面に当接した状態になっている。
【００３８】
短絡片３を固定すべく、固定部材１４が導電部１２を軸として回転されて基端側に向けて移動すると、固定部材１４は、短絡片３を基端側絶縁部１１の先端側に向けて移動させる。第一のカバー１５は、第一の付勢部材１６の付勢力により、短絡片３の基端側の面に当接した状態で、短絡片３の移動に伴って基端側に向けて移動する。すると、第一のカバー１５は、基端側絶縁部１１の凹部１１１内に収容されるように移動する。一方、第二のカバー１７は、固定部材１４の基端側に向けての移動に伴って、第二の付勢部材１８の付勢力により、固定部材１４に基端側を当接した状態のまま基端側に向けて移動する。そして、固定部材１４が十分に移動して、固定部材１４が基端側絶縁部１１との間で短絡片３を固定すると、図１に示すように、第一のカバー１５は、基端側絶縁部１１の凹部１１１に収容され、第二のカバー１７は、先端側絶縁部１３及び固定部材１４の間の導電部１２の表面を被覆する。
【００３９】
以上のように、本実施形態に係るトリップロック端子１は、保護継電装置の盤面２から延出する基端側絶縁部１１と、該基端側絶縁部１１から延出する軸状の導電部１２と、該導電部１２の先端に固定された先端側絶縁部１３と、導電部１２に対して軸心方向に移動可能に設けられた固定部材１４とを備え、固定部材１４と基端側絶縁部１１とで短絡片３を固定可能に構成されたトリップロック端子１であって、固定部材１４と基端側絶縁部１１との間の導電部１２を被覆し、且つ導電部１２の軸心方向に移動可能に設けられた第一のカバー１５と、基端側絶縁部１１に内装され、且つ第一のカバー１５を固定部材に押し付ける第一の付勢部材１６と、固定部材１４と先端側絶縁部１３との間の導電部１２を被覆し、且つ導電部１２の軸心方向に移動可能に設けられた第二のカバー１７と、先端側絶縁部１３に内装され、且つ第二のカバー１７を固定部材１４に押し付ける第二の付勢部材１８とを備えるものである。
【００４０】
このような構成において、トリップロック端子１は、一対で保護継電装置の盤面２から延出して設けられる。そして、短絡片３が一対のトリップロック端子１，１のそれぞれの固定部材１４と基端側絶縁部１１との間で固定されることで、一対のトリップロック端子１，１の導電部１２が短絡片３を介して通電状態にされる。
【００４１】
一対のトリップロック端子１，１のそれぞれの固定部材１４が導電部の軸心方向に沿って、基端側絶縁部１１に向けて移動することで、第二のカバー１７は、第二の付勢部材１８による付勢力に抗して先端側絶縁部１３に向けて移動する。短絡片３は、固定部材１４が移動することで、固定部材１４と基端側絶縁部１１との間の固定から解除され、一対のトリップロック端子１，１から取り外し可能な状態になる。
【００４２】
短絡片３が取り外されると、第一のカバー１５は、第一の付勢部材１６の付勢力により、導電部１２の軸方向に沿って、基端側絶縁部１１の内部から固定部材１４に向けて進出する。これにより、短絡片３の取り外しにより露出した導電部１２の表面は、第一のカバー１５により被覆される。第一のカバー１５により導電部１２が被覆されることで、短絡片３を取り外したとしても導電部１２が露出しないので、導電部１２に接触することによる感電や、ミストリップ等の不慮の事故の発生を防止できる。
【００４３】
また、本実施形態において、先端側絶縁部１３は、外面に開口して導電部１２まで延びる直線状の孔部１９を有するとともに、該孔部１９の開口を閉塞する閉塞部２０を有する。
【００４４】
このような構成において、孔部１９が先端側絶縁部１３の外面から導電部１２まで直線状に延びていることから、導電部１２は、孔部１９を介して露出する。これにより、孔部１９の開口から検査機器等の端子が挿入可能であり、端子が導電部１２に接触することで、トリップロック端子１の検査をすることができる。通常時において、閉塞部２０が孔部１９の開口を閉塞するので、導電部１２は、露出しない。これにより、導電部１２に接触することによる感電や、ミストリップ等の不慮の事故の発生を防止しつつ、トリップロック端子１の検査作業の作業性を向上することができる。
【００４５】
また、本実施形態において、第一のカバー１５は、固定部材１４側の端部の外径を固定部材１４に向けて縮径して形成されている。
【００４６】
このような構成において、短絡片３が一対のトリップロック端子１，１から取り外されると、第一のカバー１５のそれぞれは、第一の付勢部材１６の付勢力により固定部材１４に向けて移動し、該固定部材１４に当接する。このような一対のトリップロック端子１，１に短絡片３を取り付ける際には、短絡片３が、第一のカバー１５の固定部材１４側の端部に押し当てられる。第一のカバー１５の端部の外径は、中央部の外径に対して、固定部材１４側の短部の外径を固定部材１４に向けて縮径して形成されているので、短絡片３の押し当てにより、第一のカバー１５は、第一の付勢部材１６の付勢力に抗する方向（固定部材１４から離間する方向）に力を受ける。これにより、第一のカバー１５が第一の付勢部材１６の付勢力に抗して移動するので、固定部材１４と基端側絶縁部１１との間にある導電部１２の表面が露出する。その後、短絡片３は、露出した導電部１２の表面に当接されることで、固定部材１４及び基端側絶縁部１１に固定可能になる。したがって、作業員が第一のカバー１５を直接把持せずに短絡片３を固定可能にすることができ、導電部１２に接触することによる感電や、ミストリップ等の不慮の事故の発生を防止できる。
【００４７】
また、本実施形態に係るトリップロック端子１は、樹脂製のカバーを用いずとも導電部１２を絶縁材料で被覆できるので、定期点検時において、樹脂製のカバーを着脱する必要がないので、短絡片３の着脱毎に樹脂製のカバーを着脱する作業が発生せず、定期点検が終了するまでの時間を短縮することができる。
【００４８】
なお、本発明に係るトリップロック端子は、上記実施形態に限定されるものではなく、本発明の要旨を逸脱しない範囲で種々の変更が可能である。上記実施形態のトリップロック端子１に対して、以下のような変形例が考えられる。
【００４９】
例えば、上記実施形態に係るトリップロック端子１において、表面を絶縁材料で覆われた短絡片３を含めてトリップロック装置としてもよい。具体的には、図４に示すように、短絡片３は、板状の接続バー３２と、該接続バー３２の長手方向中央部に設けられる把持部３１と、接続バー３２の導電部１２との接触位置に設けられる一対の接触部３４，３４と、把持部３１及び接触部３４以外の接続バー３２の表面を被覆する被覆部３３とを有する。
【００５０】
そして、接続バー３２は、導電材料で板状に形成される。接続バー３２は、一対のトリップロック端子１，１の離間距離に応じた長さで形成される。
【００５１】
また、把持部３１は、絶縁材料で形成され、板状に形成される。把持部３１は、接続バー３２の長手方向中央部に配置され、接続バー３２の板厚よりも厚く形成される。
【００５２】
また、一対の接触部３４，３４は、一対のトリップロック端子１，１の導電部１２間の離間距離に合わせて、接続バー３２上で離間して形成される。ここでは、一対の接触部３４，３４は、把持部３１を挟んで対称となる位置に形成される。そして、一対の接触部３４，３４は、接続バー３２の板面方向で一方の方向から導電部１２に接触可能になるように、接続バー３２の板面方向で接続バー３２の長手方向に直行する方向の一方の端縁から、他方の端縁に向けて凹んで形成される。また、一対の接触部３４，３４は、接続バー３２の長手方向の幅で導電部１２の径よりも大きな幅で形成されていることで、導電部１２に嵌合可能に形成されている。
【００５３】
被覆部３３は、絶縁材料で形成され、把持部３１及び接触部３４以外の接続バー３２の表面を被覆する位置に形成される。これにより、短絡片３は、導電部１２に接触する接触部３４以外の表面を、絶縁性の把持部３１及び被覆部３３で被覆されて形成される。これにより、図１のように、短絡片３が一対のトリップロック端子１，１に固定されている状態において、短絡片３の導電部１２も被覆されることになるので、より多くの導電部分が絶縁材料により被覆される。これにより、安全性を向上し、不慮の事故を防止することができる。
【００５４】
また、上記実施形態において、第一のカバー１５は、固定部材１４側の端部の外径を固定部材１４に向けて縮径して形成されているとしたが、軸方向で同径に形成されていてもよい。このとき、凹部１１１は、先端側絶縁部１３に設けられる溝１３１と同様に断面円弧状に形成されるようにしてもよい。また、第一のカバー１５の固定部材１４側の端部の表面は、固定部材１４に向けて縮径するように、段付の表面を有するような形状であってもよい。
【００５５】
また、上記実施形態において、枢結部２５は、閉塞部２０を板面方向で回転自在に枢結するとしたが、これに限らず、枢結部２５は、取付部として種々変更されてよい。例えば、取付部は、閉塞部２０を板面方向にスライド可能なスライド部であってよく、スライド部は、閉塞部２０を板面方向にスライド可能とすることで、孔部１９の開口を露出可能な構成としてもよい。また、取付部は、雄ネジとして形成されて、閉塞部２０を回転させることで閉塞部２０とともに回転し、先端側絶縁部１３に対して閉塞部２０を接近又は離間しつつ孔部１９の開口を露出させるような構成であってもよい。要は、取付部は、閉塞部２０を移動させることで孔部１９の開口を露出させることができる構成であれば、どのような構成として採用されてもよい。
【００５６】
また、上記実施形態において、孔部１９は、導電部１２の軸方向に延びるとしたが、これに限らず、先端側絶縁部１３の径方向から延びるように形成されていてもよい。
【００５７】
また、上記実施形態において、基端側絶縁部１１は、円筒形状に限らず、導電部１２を挿入しつつ係止することが可能な形状であれば、外周の形状を多角形状にする等、種々の形状であってよい。また、先端側絶縁部１３についても同様に、円柱形状に限らず、種々の形状であってよい。
【符号の説明】
【００５８】
１…トリップロック端子、２…盤面、３…短絡片、１１…基端側絶縁部、１２…導電部、１３…先端側絶縁部、１４…固定部材、１５…第一のカバー、１６…第一の付勢部材、１７…第二のカバー、１８…第二の付勢部材、１９…孔部、２０…閉塞部、２１…第一の回路端子、２２…第二の回路端子、２３…第一の取付部材、２４…第二の取付部材、２５…枢結部、３１…把持部、３２…接続バー、３３…被覆部、３４…接触部、１１１…凹部、１３１…溝、１３２…雌ネジ
【図１】
2016152207.tif 000003
【図２】
2016152207.tif 000004
【図３】
2016152207.tif 000005
【図４】
2016152207.tif 000006